(57)【要約】  一例の照明制御構成は、電源と、当該電源に接続された場合に電力を受けるべく動作可能な第１負荷と、当該電源に接続された場合に電力を受けるべく動作可能な第２負荷とを含む。受信機は、ワイヤレス信号に応答して第１負荷、第２負荷、又はその双方を電源に接続するべくプログラム可能である。スイッチは、エネルギー自給部により電力を供給されるワイヤレス送信部を含む。ワイヤレス送信部は、スイッチの作動に応答してワイヤレス信号を受信機に送信する。
2010536248.tif 000002
【特許請求の範囲】
【請求項１】
電源と、
前記電源に接続された場合に電力を受けるべく動作可能な第１負荷と、
前記電源に接続された場合に電力を受けるべく動作可能な第２負荷と、
ワイヤレス信号に応答して前記第１負荷、前記第２負荷、又はその双方を前記電源に接続するべくプログラム可能な受信機と、
エネルギー自給部により電力を供給されるワイヤレス送信部を有するスイッチと
を含み、
前記ワイヤレス送信部は、前記スイッチの作動に応答して前記ワイヤレス信号を前記受信機に送信する制御構成。
【請求項２】
前記ワイヤレス信号に応答して少なくとも１つの第３負荷を前記電源に選択的に接続するべくプログラム可能な第２の受信機を含む、請求項１に記載の制御構成。
【請求項３】
前記第１負荷及び前記第２負荷は第１ライト及び第２ライトであり、
前記受信機は、前記第１負荷が前記第２負荷よりも明るい又は暗い照明を与えるように前記第１負荷及び第２負荷を前記電源に接続するべくプログラム可能である、請求項１に記載の制御構成。
【請求項４】
前記第１負荷及び前記第２負荷は少なくとも１つの内部空間を照明するべく動作可能である、請求項１に記載の制御構成。
【請求項５】
前記エネルギー自給部は、前記スイッチの前記作動からエネルギーを回収する、請求項１に記載の制御構成。
【請求項６】
前記スイッチは、内部空間と外部空間との間で可動である、請求項１に記載の制御構成。
【請求項７】
前記受信機は、前記ワイヤレス信号に応答して第１ライトのための所望の照明レベルとライトのための所望の照明レベルとを与えるシーンに関してプログラム可能である、請求項１に記載の制御構成。
【請求項８】
前記第１負荷は、テレビジョン、視聴覚機器、及びコンピュータの少なくとも１つを含む、請求項１に記載の制御構成。
【請求項９】
電源と、
前記電源に接続された場合に照明するべく動作可能な第１ライトと
前記電源に接続された場合に照明するべく動作可能な第２ライトと、
少なくとも１つの照明シーンを記憶するべく構成されたプログラム可能コントローラと、
ワイヤレス信号に応答して、かつ、前記少なくとも１つの照明シーンに基づいて、第１ライト、第２ライト、又はその双方を前記電源に接続するべく動作可能な受信機と、
エネルギー自給部により電力を供給されるワイヤレス送信部を有するスイッチと
を含み、
前記ワイヤレス送信部は、前記スイッチの作動に応答して前記ワイヤレス信号を前記受信機に送信する照明制御構成。
【請求項１０】
前記スイッチが前記プログラム可能コントローラを含む、請求項９に記載の照明制御構成。
【請求項１１】
前記受信機が前記プログラム可能コントローラを含む、請求項９に記載の照明制御構成。
【請求項１２】
前記少なくとも１つの照明シーンは、前記第１ライト、前記第２ライト、又はその双方に対する所望の照明レベルを含む、請求項９に記載の照明制御構成。
【請求項１３】
前記第１ライトは内部エリアを照明するべく動作可能であり、前記第２ライトは外部エリアを照明するべく動作可能である、請求項９に記載の照明制御構成。
【請求項１４】
前記電源に接続された場合に音を生成するべく動作可能なステレオを含む、請求項９に記載の制御構成。
【請求項１５】
ワイヤレス制御システムを使用する方法であって、
少なくとも１つのシーンを記憶するべくメモリ部をプログラムすることと、
スイッチのエネルギー自給部が供給する電力を使用してワイヤレス信号を送信することと、
前記送信されたワイヤレス信号に応答して前記少なくとも１つのシーンの１つを開始することと
を含む方法。
【請求項１６】
前記少なくとも１つのシーンは、第１ライト、第２ライト、又はその双方を照明することを含む、請求項１５に記載の方法。
【請求項１７】
前記少なくとも１つのシーンは、前記第１ライト、前記第２ライト、又はその双方のための所望の照明レベルを含む、請求項１６に記載の方法。
【請求項１８】
前記少なくとも１つのシーンに基づいて、前記第１ライト、前記第２ライト、又はその双方を電源に選択的に電気接続することを含む、請求項１５に記載の方法。
【請求項１９】
前記送信されたワイヤレス信号に応答して、前記少なくとも１つのシーンは、第１ライトを電源に接続し、第２ライトを電源に接続し、又は前記第１ライト及び前記第２ライトの双方を前記電源に接続し、前記接続は前記少なくとも１つのシーンに依存する、請求項１５に記載の方法。
【請求項２０】
前記少なくとも１つのシーンは、前記送信されたワイヤレス信号に応答して受信機が第１ライトを電源に接続すること、第２ライトを電源に接続すること、又は前記第１ライト及び前記第２ライトを前記電源に接続することを開始し、前記接続は前記少なくとも１つの照明シーンに依存する、請求項１５に記載の方法。
【発明の詳細な説明】
【技術分野】
【０００１】
本願は、エネルギー自給スイッチを使用したシーン制御に関する。
【０００２】
関連出願の相互参照
本願は、２００７年８月５日出願の米国仮特許出願第６０／９５４００７号、及び２００８年３月５日出願の米国仮特許出願第６１／０３３８３８号の優先権を主張する。これら双方は本明細書において参照として組み込まれる。
【背景技術】
【０００３】
ワイヤレス通信を送信するスイッチが周知である。例えば、ワイヤレス通信をガレージドア開閉器へ送信するスイッチがある。多くのスイッチは、バッテリのような交換可能な内部電源を使用してワイヤレス通信の送信に電力を供給する。かかる内部電源の保守を行うことは手間及びコストがかかる。例えば、壁取付けライトスイッチ内のバッテリにアクセスすることは困難であり、かつ時間がかかる場合が多い。交換可能な内部電源ではなく、ワイヤレス通信送信に電力を供給するためのエネルギーを回収するスイッチもある。
【０００４】
照明、音響装置等のための複雑な制御システムを含む建物がある。従来の制御システムは、有線に基づくスイッチ及びバッテリに基づくスイッチを含む。これらは双方とも高価で融通が利かないことが多い。
【先行技術文献】
【特許文献】
【０００５】
【特許文献１】米国特許出願公開第２００３／０１６０８９（Ａ１）号明細書
【特許文献２】国際公開第０３／００５３８（Ａ）号パンフレット
【特許文献３】欧州特許出願公開第０６５６６１２（Ａ）号明細書
【特許文献４】米国特許出願公開第２００６／０１２３１７（Ａ１）号明細書
【特許文献５】国際公開第２００６／１１１９３４（Ａ）号パンフレット
【特許文献６】国際公開第２００７／０７２３２５（Ａ）号パンフレット
【発明の概要】
【０００６】
一例の照明制御構成は、電源と、当該電源に接続された場合に電力を受けるべく動作可能な第１負荷と、当該電源に接続された場合に電力を受けるべく動作可能な第２負荷とを含む。受信機は、ワイヤレス信号に応答して第１負荷、第２負荷、又はその双方を電源に接続するべくプログラム可能である。スイッチは、エネルギー自給部により電力を供給されるワイヤレス送信部を含む。ワイヤレス送信部は、スイッチの作動に応答してワイヤレス信号を受信機に送信する。
【０００７】
他例の照明制御構成は、電源と、当該電源に接続された場合に照明するべく動作可能な第１ライトと、当該電源に接続された場合に照明するべく動作可能な第２ライトとを含む。プログラム可能コントローラは少なくとも１つのシーンを記憶するべく構成される。受信機は、ワイヤレス信号に応答して、かつ、当該シーンに基づいて、第１ライト、第２ライト、又はその双方を電源に接続するべく動作可能である。スイッチは、エネルギー自給部により電力を供給されるワイヤレス送信部を有する。ワイヤレス送信部は、スイッチの作動に応答してワイヤレス信号を受信機に送信する。
【０００８】
ワイヤレスセキュリティシステムとともに使用される例示の方法は、少なくとも１つの照明シーンを記憶するようにコントローラをプログラムすることと、スイッチのエネルギー自給部により供給される電力を使用してワイヤレス信号を送信することとを含む。当該方法は、送信されたワイヤレス信号に応答してシーンの１つを開始することを含む。
【０００９】
本願発明のこれら及びその他の特徴が以下の明細書及び図面から最もよく理解することができる。図面の簡単な説明は以下のとおりである。
【図面の簡単な説明】
【００１０】
【図１】例示の照明制御構成を概略的に示す。
【図２】図２Ａは例示の建物内に実装された図１の構成の例示の受信機部分を示す。図２Ｂは、図２Ａの受信機部分を制御する例示のスイッチ部分を示す。
【図３】図３Ａは、他例の建物内に実装された図１の構成の他例の受信機部分を示す。図３Ｂは、図３Ａの受信機部分を制御するための図１の例示のスイッチ部分を示す。
【発明を実施するための形態】
【００１１】
図１を参照すると、例示の制御構成１０は、受信機１８とワイヤレス通信を行うスイッチ１４を含む。電源２２は、第１ライト２６ａ、第２ライト２６ｂ、及び第３ライト２６ｃに電力を供給するべく動作可能である。受信機１８は、スイッチ１４からのワイヤレス通信３０に応答してライト２６ａ−２６ｃの１つ以上に電源２２を選択的に接続する。
【００１２】
この例では、スイッチ１４はエネルギー自給式であり、ワイヤレス送信部３４及びエネルギー自給部３８を含む。エネルギー自給部３８は、ワイヤレス送信部３４に電力を供給する。ワイヤレス送信部３４はワイヤレス通信３０を送信する。ワイヤレス通信３０を送信するのに適した一例のスイッチ１４は、ＥｎＯｃｅａｎ（登録商標）から製品番号ＰＴＭ２５０として入手可能である。
【００１３】
例示のスイッチ１４はロッカータイプスイッチであり、当該スイッチ１４の一部をスイッチハウジング５０内で揺動させることにより作動する。他例のスイッチ作動は、例えばユーザの手の存在を示す運動センサ、又はプッシュボタンタイプのスイッチを含む。一例では、スイッチ１４の一部の作動が当該スイッチ１４のエネルギー自給部３８にエネルギーを供給する。他例では、エネルギー自給部３８は、光起電力電池、圧電装置等を介してエネルギーを供給する。したがって、例示のスイッチ１４は、ワイヤレス通信３０に電力を供給するべく内部電源に依存することがなく、その代わりにワイヤレス通信３０に電力を供給するべくエネルギーを回収する。
【００１４】
受信機１８が多チャンネル受信機として示されるが、受信機１８は単チャンネル受信機であってもよい。他例は、異なる数のライト２６ａ−２６ｃに接続された受信機１８を含む。
【００１５】
他例の制御構成１０は、２つ以上の受信機１８を使用する。制御構成１０内での使用に適した一例の受信機１８は、ＥｎＯｃｅａｎから製品番号ＲＣＭ１３０Ｃとして入手可能である。この例では受信機１８の位置が固定されているが、他例の受信機は携帯可能である。例えば、他例の受信機１８はＵＳＢ部分を含み、ひとたび当該ＵＳＢ部分がコンピュータにつながった場合にワイヤレス通信を受信するべく動作可能である（図示せず）。かかる例では、受信機１８を移動させて複数のエリアでワイヤレス通信を受信することが容易となる。
【００１６】
例示の受信機１８はプログラム可能コントローラ４６を含む。プログラム可能コントローラ４６は、電源２２と各ライト２６ａ−２６ｃとの接続、電源２２からライト２６ａ−２６ｃへ供給される電力レベル、又はその双方を制御することにより、ライト２６ａ−２６ｃの照明レベルを制御する。本開示により利益を享受する当業者であれば、ライト２６ａ−２６ｃの照明に対してかかる制御を与えるのに適したコントローラを開発することができる。例示のプログラム可能コントローラ４６には、マイクロプロセッサ、ラップトップコンピュータ等が含まれる。
【００１７】
第１ライト２６ａ、第２ライト２６ｂ、及び第３ライト２６ｃは、この例では照明シーンであるシーン４２を与える。この例のシーン４２では、第１ライト２６ａは、第２ライト２６ｂ及び第３ライト２６ｃの双方よりも明るくされ、第２ライト２６ｂは第３ライト２６ｃよりも明るくされる。また、この例では第３ライト２６ｃはオフとなっている。すなわち、第３ライト２６ｃは、この例示のシーン４２において照明を与えていない。他例のシーン４２は、例えばステレオ又はコンピュータのような視聴覚機器を含む。
【００１８】
ここで図１への参照を続けながら図２を参照すると、図１の例に記載の制御構成１０とある程度類似した例示の制御構成１１０が建物５８内に実装される。本開示では、同じ参照番号は適宜同じ要素を示すこととする。また、１００又は１００の倍数を付加した参照番号は修正要素を示すこととする。修正要素は、特に言及がある場合を除き、対応する元の要素と同じ特徴及び利点を含む。
【００１９】
この例では、制御構成１１０は、４つのライト１２６ａ−１２６ｄ及び２つの受信機１１８ａ及び１１８ｂを含む。ユーザ６６がスイッチ１１４を作動させる。次にスイッチ１１４は、受信機１１８ａ及び受信機１１８ｂの双方にワイヤレス信号１３０を送信する。受信機１１８ａ、１１８ｂは、ワイヤレス信号１３０の受信時に当該受信機１１８ａ、１１８ｂがライト１２６ａ及びライト１２６ｄを電源（図示せず）に接続するようにプログラムされる。建物は複数の部屋６２ａ−６２ｄを含む。ライト１２６ａに電力を供給することにより部屋６２ａが照明され、ライト１２６ｄに電力を供給することにより部屋６２ｄが照明される。したがって、この例では、建物５８のためのシーン１４２は、部屋６２ａ及び６２ｄを照明し、部屋６２ｂ及び６２ｃを照明しない。他例は、シーン１４２の一部である部屋６２ａ内のステレオ６０への電力分配を制御するべく制御構成１１０を使用することを含む。さらに他の例は、コンピュータ６１、テレビジョン６３、シーリングファン６４、又は電源コンセント６５に電力を供給することを含む。
【００２０】
ここで図１への参照を続けながら図３を参照すると、ユーザ６６は、家７０の外部に取り付けられた受信機２１８へワイヤレス信号２３０を送信するべくスイッチ２１４を作動させる。受信機２１８は、ワイヤレス信号２３０に応答してシーン２４２の照明を開始するべく有線接続（図示せず）を介してプログラムされる。この例では、照明シーン２４２は、第１の複数のライト２２６ａ−２２６ｃを照明することを含むが、第２の複数のライト２２６ｄ−２２６ｇを照明することは含まない。この例では、ライト１２６ａ、１２６ｂが家７０の外部エリア７４を照明し、ライト１２６ｃが内部エリア７８を照明する。このようにして、ユーザ６６は、スイッチ２１４を使用して、家７０に関連付けられた照明シーン２４２を遠隔したところから開始することができる。
【００２１】
本開示の特徴は、エネルギー自給スイッチを使用して特定の照明シーンを制御することを含む。当該照明シーンは、コントローラをプログラムすることにより変更することができる。本開示の他の特徴は、スイッチが受信機に対して可動であることにある。これにより、スイッチからのワイヤレス通信に電力を供給するための有線接続が不要となる。
【００２２】
本発明の好ましい実施例が開示されたが、当業者であれば、所定の修正が本発明の範囲内に収まることがわかる。したがって、本発明の真の範囲及び内容を決定するべく以下の特許請求の範囲を精査する必要がある。
【図１】
2010536248.tif 000003
【図２Ａ】
2010536248.tif 000004
【図２Ｂ】
2010536248.tif 000005
【図３Ａ】
2010536248.tif 000006
【図３Ｂ】
2010536248.tif 000007
【国際調査報告】
2010536248.tif 000008
2010536248.tif 000009
2010536248.tif 000010